Podtech/llm-jp-corpus-v4-ja_patent huggingface dataset:
【手続補正書】
【提出日】平成25年6月13日(2013.6.13)
【手続補正１】
【補正対象書類名】明細書
【補正対象項目名】０００１
【補正方法】変更
【補正の内容】
【０００１】
本発明は、最小限の化合物、好適には非官能化物である固体吸収材を含有する、燃焼排ガス中の重金属およびダイオキシンを低減するための組成物に関する。
【手続補正２】
【補正対象書類名】明細書
【補正対象項目名】００１６
【補正方法】変更
【補正の内容】
【００１６】
本発明の目的は、最初に述べたような組成物を提供することによる、従来技術の欠点の解決策を見出すことである。
【手続補正３】
【補正対象書類名】明細書
【補正対象項目名】００１７
【補正方法】変更
【補正の内容】
【００１７】
実際、全く思いがけなくそして予測できない手段で、塩としてのハロゲン化物を添加した無機化合物が、製造および適用が簡単で危険でない同一でただひとつの無機化合物を用いることによって、燃焼排ガス中に存在する特にガス状でのダイオキシンおよび重金属の共に且つ効果的な低減を可能とすることを見出したのである。
本発明は、燃焼排ガス中の重金属およびダイオキシンを低減させるための、無機化合物、好適には非官能化物である固体吸収材料を含む組成物であって、前記無機化合物がダーナー（Ｄａｎａ）の分類による「パリゴルスカイト−セピオライト（ｐａｌｙｒｏｒｓｋｉｔｅ−ｓｅｐｉｏｌｉｔｅ）」群のフィロケイ酸塩から選択され、前記無機化合物が、ハロンゲン化物塩を添加されていて且つ初期の結晶構造を保持していて、前記ハロンゲン化物塩が組成物の質量に基づいて無水ベースで０．５質量％〜２０質量％の量で存在することを特徴とする、前記組成物に関する。
【手続補正４】
【補正対象書類名】明細書
【補正対象項目名】００２４
【補正方法】変更
【補正の内容】
【００２４】
有利には、本発明による無機化合物は粉末状にある、すなわち粒子のサイズは過半数が（９０％より多くが）１ｍｍより小さく且つ基本的に１μｍより大きい、すなわち本発明による無機化合物は好適には１ｍｍ未満のｄ９０を有する。
ｄ９０とは、粒子の９０％がその値より小さいサイズを有するような、粒子サイズに係る分布曲線の補間値である。
予想外に、ハロゲン化物塩を添加したこれらの無機化合物が、特にガス状で効率よく重金属、特に水銀そして特に燃焼排ガス中の水銀金属Ｈｇ０を低減させる可能性を与え、一方でこれら無機化合物が添加なしで有するダイオキシンを低減させる特性、特に初期の結晶構造を保持していることを示すことができた。
【手続補正５】
【補正対象書類名】特許請求の範囲
【補正対象項目名】全文
【補正方法】変更
【補正の内容】
【特許請求の範囲】
【請求項１】
燃焼排ガス中の重金属およびダイオキシンを低減させるための、無機化合物、好適には非官能化物である固体吸収材料を含む組成物であって、前記無機化合物がダーナーの分類による「パリゴルスカイト−セピオライト」群のフィロケイ酸塩から選択され、前記無機化合物が、ハロンゲン化物塩を添加されていて且つ初期の結晶構造を保持していて、前記ハロンゲン化物塩が組成物の質量に基づいて無水ベースで０．５質量％〜２０質量％の量で存在することを特徴とする、前記組成物。
【請求項２】
前記無機化合物が、ダーナーの分類によるセピオライトの下位群のフィロケイ酸塩のグループから選択される請求項１に記載の組成物。
【請求項３】
前記ハロゲン化物塩が、アルカリハロゲン化物又はアルカリ土類のハロゲン化物などであり、好適にはＮａＣｌ、ＮａＢｒ、ＮａＩ、ＫＣｌ、ＫＢｒ、ＫＩ、ＣａＣｌ２、ＣａＢｒ２、ＣａＩ２、ＭｇＣｌ２、ＭｇＢｒ２、ＮＨ４Ｃｌ、ＮＨ４Ｂｒ又はＮＨ４Ｉもしくはこれらの混合物からなる群から選択される請求項１又は２に記載の組成物。
【請求項４】
前記ハロゲン化物塩が、組成物の質量に基づいて無水ベースで１質量％〜１５質量％、特に１．５質量％〜１０質量％のハロゲン化物塩の量で存在する請求項１〜３のいずれか１項に記載の組成物。
【請求項５】
前記ハロゲン化物塩を添加した無機化合物が、７０〜１７０ｍ２／ｇ、好適には８０〜１４０ｍ２／ｇそして特に９０〜１３０ｍ２／ｇの範囲からなるＢＥＴ比表面積を有する請求項１〜４のいずれか１項に記載の組成物。
【請求項６】
前記ハロゲン化物塩を添加した無機化合物が、窒素脱着等温線に適用されたＢＪＨ法により測定される０．１５〜０．３２ｃｍ３／ｇ、好適には０．２０〜０．３０ｃｍ３／ｇそして特に０．２２〜０．２８ｃｍ３／ｇの範囲からなる細孔容積を有する請求項１〜５のいずれか１項に記載の組成物。
【請求項７】
重金属およびダイオキシンを低減するための組成物を製造する方法であって、工程：
ダーナーの分類による「パリゴルスカイト−セピオライト」群のフィロ珪酸塩から選択される無機化物、好適には非官能化物である固体吸着材を提供する工程、
前記組成物の質量に基づいて無水ベースで０．５質量％〜２０質量％の量となる割合でハロゲン化物塩を提供する工程、および
前記無機化合物と前記ハロゲン化物塩とを接触させて、ハロゲン化物塩を添加した無機化合物を形成する工程
を含む、前記方法。
【請求項８】
前記無機化合物と前記ハロゲン化物塩との接触が攪拌によって達成される請求項７に記載の方法。
【請求項９】
前記提供される無機化合物が、０．１〜１００ｇ／ｋｇ、有利には２〜９０ｇ／ｋｇの範囲からなる湿度を有する請求項７又は８に記載の方法。
【請求項１０】
前記接触が室温で行われる請求項７〜９のいずれか１項に記載の方法。
【請求項１１】
前記ハロゲン化物塩が液状中、水相中にある請求項７〜１０のいずれか１項に記載の方法。
【請求項１２】
前記無機化合物と前記ハロゲン化物塩とを接触させるための前記工程が、任意的に攪拌を用いての前記無機化合物上への前記ハロゲン化物塩の噴霧である請求項７〜１１のいずれか１項に記載の方法。
【請求項１３】
前記無機化合物とハロゲン化物塩とを接触させるための前記工程が、任意的に攪拌しながら液相中、前記ハロゲン化物塩中での前記無機化合物の浸漬である請求項１１に記載の方法。
【請求項１４】
液相中での前記ハロゲン化物塩が、前記溶液の全質量に基づいて１％〜３０％、特に５％〜２７％、好適には１０％〜２７％の範囲からなるハロゲン化物塩の含有量を有する水溶液である請求項１１〜１３のいずれか１項に記載の方法。
【請求項１５】
さらに、好適には６０〜２００℃、特に７５〜１７０℃の範囲からなる温度でハロゲン化物塩を添加した前記無機化合物を乾燥および／又は脱集塊化するための１つ以上の工程を含む請求項７〜１４のいずれか１項に記載の方法。
【請求項１６】
前記ハロゲン化物塩が、アルカリハロゲン化物又はアルカリ土類ハロゲン化物などであり、好適にはＮａＣｌ、ＮａＢｒ、ＮａＩ、ＫＣｌ、ＫＢｒ、ＫＩ、ＣａＣｌ２、ＣａＢｒ２、ＣａＩ２、ＭｇＣｌ２、ＭｇＢｒ２、ＮＨ４Ｃｌ、ＮＨ４Ｂｒ又はＮＨ４Ｉもしくはこれらの混合物からなる群から選択される請求項７〜１５のいずれか１項に記載の方法。
【請求項１７】
燃焼排ガス中の、好適にはガス状態でのダイオキシンと重金属、特に水銀、そしてその中でも水銀金属Ｈｇ０を低減するための請求項１〜６のいずれか１項に記載の組成物の利用法。
【請求項１８】
塩基性剤、例えば石灰と共に混合物としての請求項１７に記載の利用法。
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
ノズル出口（１２）を備えた多部品構成型圧送チャンバの形態を有し、液体が最高５０００バールの圧力で収容される高圧チャンバであって、前記高圧チャンバの少なくとも１つの構成部品が金属からなる高圧チャンバにおいて、
第２の材料領域（１２３ｂ，１２６ｂ，１３３ｂ）は、前記少なくとも１つの金属構成部品に直接取り付けられ又は前記金属構成部品は、第２の材料で少なくとも部分的に内張りされ又は被覆され、
前記第２の材料領域（１２３ｂ，１２６ｂ，１３３ｂ）又は被膜若しくは内張りは、前記高圧チャンバの作動中、液体と直接的な接触状態にある前記金属構成部品の表面全体を覆っている、
ことを特徴とする高圧チャンバ。
【請求項２】
前記第２の材料は、前記第２の材料が耐腐食性であると共に／或いは使用のために提供される液体（２）と薬学的に適合性があるよう選択される、
請求項１に記載の高圧チャンバ。
【請求項３】
前記第２の材料は、プラスチック、特にポリプロピレン又はポリエチレンである、
請求項１または２に記載の高圧チャンバ。
【請求項４】
前記第２の材料領域（１２３ｂ，１２６ｂ，１３３ｂ）は、その形状及びその材料の性質により、別の強度決定構成部品との接合箇所で、前記高圧チャンバの内部のためのシールを構成している、
請求項１又は２に記載の高圧チャンバ。
【請求項５】
前記少なくとも１つの金属構成部品は、付形及び／又は圧着可能な金属から成ると共に、付形又は圧着によって前記高圧チャンバの少なくとも１つの他の構成部品に確実にロックする仕方で永続的に連結されている、
請求項１に記載の高圧チャンバ。
【請求項６】
前記圧着可能な金属は、材料が機械的成形によって強化される性質を更に有する、
請求項５に記載の高圧チャンバ。
【請求項７】
密封及び／又は濾過及び／又は液体噴霧化及び／又は調節機能を備えた別々の個々の構成部品は、付形又は圧着により前記高圧チャンバ内に納められている、
請求項５又は６に記載の高圧チャンバ。
【請求項８】
もう一つの構成部品に接合されるべき少なくとも１つの金属構成部品の連結部の性状又は前記圧着の形態は、前記少なくとも１つの金属構成部品への連結要素（１２６ｃ，１３３ｃ，１２３ｄ）の形状によって既に決定され、
圧着によってもう一つの構成部品に連結された構成部品の前記連結要素（１２６ｃ，１３３ｃ）は、前記他の構成部品の方へ曲げられた少なくとも２つ、好ましくは４つのウェブ又はアームの形態を取っている、
請求項５に記載の高圧チャンバ。
【請求項９】
圧着中に曲げられるウェブ又はアーム（１２６ｃ，１３３ｃ）は、０．８〜３．６ミリメートルの幅及び／又は１．６〜３．０ミリメートルの長さ及び１．５〜２．５ミリメートルの材料厚さを有する、
請求項８に記載の高圧チャンバ。
【請求項１０】
前記高圧チャンバの内容積は、最大２５０マイクロリットルまで、好ましくは１０〜１００マイクロリットルであると共に／或いは前記高圧チャンバは、最高１２００バールまでの過剰圧力範囲向きに設計されている、
請求項１に記載の高圧チャンバ。
【請求項１１】
中央部分（２３，１２３）と、ノズルホルダ（３２，１３３）または支持リング（２５，１２６）である少なくとも１つの他の構成部品とからなる請求項１記載の高圧チャンバの製作方法であって、ノズルホルダ（１３３）、中央部分（１２３）、または支持リング（１２６）の少なくとも１つが少なくとも１つ金属構成部品である製作方法において、
少なくとも１つの金属構成部品が、別の射出成形プロセスで、第２の材料領域（１２３ｂ，１２６ｂ，１３３ｂ）、被覆又は内張を設けられ、
後の工程で、を備え、中央部分（２３，１２３）、ノズルホルダ（３２，１３３）、または支持リング（２５，１２６）が、他方の内側に挿入され、成形又は圧着によって互いに接合される、
ことを特徴とする方法。
【請求項１２】
液体調合薬（２）を噴霧化し又は注入するネブライザ（１）又はインゼクタであって、請求項１ないし１０のいずれか１項に記載の高圧チャンバを有する、ネブライザ（１）又はインゼクタ。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
脊椎の外科治療のためのコネクティングロッド用の固定装置であって、プラスチックコネクティングロッド（１）、それぞれが前記ロッド（１）用の、側壁（３９）を有する開口部（３）を有する複数の骨ネジ（２）、及び締結デバイス（４）を備え、前記プラスチックロッドは少なくとも２つの平面平行表面（３５、３６）を有し、前記開口部の前記側壁（３９）の間の距離は前記ロッドが前記開口部内でぴったり摺動可能なように接触領域内の前記平面平行表面（３５、３６）の距離に合わせられ、前記締結デバイス（４）は、前記平面平行表面（３５、３６）に平行な締結作用を行うことが可能である固定装置であって、
前記締結デバイス（４）は、スペーサー（５）及び締結要素（６）を備え、前記締結デバイス（４）の前記スペーサー（５）、及びネジ頭開口部は、締結作用が行われるときに、締結平面内のプラスチックコネクティングロッド（１）の断面に公称的に正確に一致する外形を構成し、前記締結デバイス（４）の締結作用により、前記ロッド（１）は、材料の流れによる前記ロッド（１）の前記断面の変形を抑えるために前記締結平面内の該ロッド（１）の全周上で締結されることが可能であることを特徴とする固定装置。
【請求項２】
前記側壁（３９）と前記ロッド（１）の対応する前面との間に延在する前記開口部（３）の前記底面（４４）は、前記ロッド（１）が実質的に遊びのない構成で前記開口部内に挿入可能であるように互いにぴったり嵌合することを特徴とする請求項１に記載の固定装置。
【請求項３】
前記プラスチックロッド（１）は、少なくとも４つの側部を有することを特徴とする請求項１に記載の固定装置。
【請求項４】
前記平面平行表面（３５、３６）のうちの１つの前側エッジによってエッジ上で実質的に画成されている、前記ロッド（１）の前記前面（４４）の少なくとも１つの有効ベベル部分（４２、４３）は、前記ロッドを前記開口部（３）内に挿入する作業がしやすくなるようにベベル加工され、好ましくはそれぞれのベベル部分は前記平面平行表面（３５、３６）に直交する平面に関して少なくとも１０°の角度、好ましくは最大で８０°の角度、より好ましくは約６０°の角度でベベル加工されることを特徴とする請求項１に記載の固定装置。
【請求項５】
前記ベベル部分（４２、４３）は、本質的に、前記平面平行表面（３５、３６）の間に延在する前記ロッド（１）の前記前面（４４）を構成することを特徴とする請求項４に記載の固定装置。
【請求項６】
前記締結作用は、それぞれ前記ロッド（１）における前記開口部（３）内の少なくとも１つの円周方向リッジ切り込み（８、９）の配置構成によって補助されることを特徴とする請求項１に記載の固定装置。
【請求項７】
前記締結作用は、複数の円周方向リッジ（１０ａ、１０ｂ）及び異なる平面内の相補的切り込み（１１ａ、１１ｂ）によって補助されることを特徴とする請求項５に記載の固定装置。
【請求項８】
前記スペーサーは前記開口部（３）の側部に対向していない前記ロッド（１）の後側に相補的な形状の前面を有し、前記締結要素は骨ネジ（２）の頭上に固定されるように構成されることを特徴とする請求項１に記載の固定装置。
【請求項９】
前記締結要素（６）は、エクスターナルナット（７）又はインターナルナット（１１）であり、前記スペーサー（５）は別個の部分であることを特徴とする請求項８に記載の固定装置。
【請求項１０】
前記締結デバイス（４）は、ワンピースのエクスターナルナット（１３）又はインターナルナット（１４）であり、一体化スペーサー（５）を備えることを特徴とする請求項８に記載の固定装置。
【請求項１１】
前記プラスチックロッド（１）は、ＰＣＵ（ポリカーボネートウレタン）で製造されることを特徴とする請求項１に記載の固定装置。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
プロセッサを制御して、呼吸可能なガスの測定フローから睡眠品質インジケータを求める方法であって、
呼吸フローの測定値から複数の呼吸特性を求めるステップと、
実質的に前記複数の呼吸特性に基づいて睡眠状態測定値を求めるステップと、
前記複数の呼吸特性から睡眠安定性測定値を求めるステップと、
前記睡眠状態測定値及び前記安定性測定値から睡眠品質インデックスを求めるステップと、
前記睡眠品質インデックスを示すステップと
を含む、プロセッサを制御して、呼吸可能なガスの測定フローから睡眠品質インジケータを求める方法。
【請求項２】
前記睡眠品質インデックスは、治療セッション中の睡眠時間と前記睡眠安定性測定値との比率の関数として導出される、請求項１に記載の方法。
【請求項３】
前記睡眠品質インデックスは、前記治療セッション中の目覚め期間の持続時間の関数として更に導出される、請求項２に記載の方法。
【請求項４】
前記睡眠状態測定値は、レム状態、ノンレム状態、及び目覚め状態のうちの少なくとも１つ、並びに前記睡眠状態測定値の持続時間の測定値を含む、請求項１〜３のいずれかに記載の方法。
【請求項５】
前記睡眠安定性測定値は、求められる流れの乱れ及び該流れの乱れの前のフローデータの関数として導出される、請求項１〜４のいずれかに記載の方法。
【請求項６】
前記睡眠安定性測定値を求めるステップは、前記流れの乱れに基づいて睡眠からの覚醒を検出することを更に含む、請求項５に記載の方法。
【請求項７】
前記睡眠品質インデックスは、フロー生成器により供給される治療を設定するフィードバック制御システムにおいて機能するものである、請求項１〜６のいずれかに記載の方法。
【請求項８】
呼吸可能なガスの測定フローから睡眠品質インジケータを求める装置であって、
少なくとも１つのプロセッサを有して、呼吸可能なガスの測定フローを表すデータにアクセスするコントローラであり、
呼吸フローの測定値から複数の呼吸特性を求め、
実質的に前記複数の呼吸特性に基づいて睡眠状態測定値を求め、
前記複数の呼吸特性から睡眠安定性測定値を求め、
前記睡眠状態測定値及び前記安定性測定値から睡眠品質インデックスを求め、
前記睡眠品質インデックスを示すように更に構成される、コントローラ
を備える、呼吸可能なガスの測定フローから睡眠品質インジケータを求める装置。
【請求項９】
前記睡眠品質インデックスは、治療セッション中の睡眠時間と前記睡眠安定性測定値との比率の関数として導出される、請求項８に記載の装置。
【請求項１０】
前記睡眠品質インデックスは、前記治療セッション中の目覚め期間の持続時間の関数として更に導出される、請求項９に記載の装置。
【請求項１１】
前記睡眠状態測定値は、レム状態、ノンレム状態、及び目覚め状態のうちの少なくとも１つ並びに前記睡眠状態測定値の持続時間の測定値を含む、請求項８に記載の装置。
【請求項１２】
前記睡眠安定性測定値は、求められる流れの乱れ及び該流れの乱れの前のフローデータの関数として導出される、請求項８〜１０のいずれかに記載の装置。
【請求項１３】
前記睡眠安定性測定値を求めることは、前記流れの乱れに基づいて睡眠からの覚醒を検出することを更に含む、請求項１２に記載の装置。
【請求項１４】
フロー生成器及びフローセンサを更に備えて、呼吸可能なガスの流れを測定し、前記プロセッサは、前記検出される乱れを示すことに基づいて呼吸圧力治療計画を制御する、請求項８〜１３のいずれかに記載の装置。
【請求項１５】
前記睡眠品質インデックスは、フロー生成器により供給される治療を調整するフィードバック制御を実施する、請求項８〜１４のいずれかに記載の装置。
【請求項１６】
呼吸可能なガスの測定フローから睡眠品質インジケータを求めるシステムであって、
呼吸フローの測定値から複数の呼吸特性を求める手段と、
実質的に前記複数の呼吸特性に基づいて睡眠状態測定値を求める手段と、
前記複数の呼吸特性から睡眠安定性測定値を求める手段と、
前記睡眠状態測定値及び前記安定性測定値から睡眠品質インデックスを求める手段と、
前記睡眠品質インデックスを示す手段と
を備える、呼吸可能なガスの測定フローから睡眠品質インジケータを求めるシステム。
【請求項１７】
前記呼吸フローを測定する手段を更に備える、請求項１６に記載のシステム。
【請求項１８】
前記求める手段の出力に基づいて呼吸可能なガスの流れを生成するフロー生成手段を更に備える、請求項１７に記載のシステム。
【請求項１９】
前記睡眠品質インデックスは、フロー生成器により供給される治療を設定するフィードバック制御システムにおいて用いられる、請求項１６〜１８のいずれかに記載のシステム。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
人間の乳房を受けるようにサイズ設定されたカップ部分と、
内面及び外面を有し、前記カップ部分から延びている円筒形部分とを具備し、
前記円筒形部分は、周囲溝を有し、
前記周囲溝は、前記円筒形部分が前記周囲溝に沿って潰れることが可能であるように、前記内面に配置され、これにより、前記円筒形部分が、ほぼ円形の横断面を有する潰れていない状態から、ほぼ平たい楕円の横断面を有する潰れた状態へと動くことができる可撓性の乳房取り付け装置。
【請求項２】
搾乳器の挿入部である請求項１の取り付け装置。
【請求項３】
さらに両端部にリップを具備する請求項２の挿入部。
【請求項４】
乳頭保護器である請求項１の取り付け装置。
【請求項５】
前記円筒形部分は、ドーム形状部分で終わっている請求項４の取り付け装置。
【請求項６】
前記ドーム形状部分は、切り抜き領域を有する請求項５の取り付け装置。
【請求項７】
円形部分と、円筒形部分とを具備し、人間の乳房の形状に対応している請求項２又は３の挿入部を有する硬質ホーン。
【請求項８】
前記挿入部は、前記ホーンと前記挿入部との間のシールを妨げるように配置された突出部を有する請求項７のホーン。
【請求項９】
前記挿入部は、硬質ホーンに取着されている請求項７又は８のホーン。
【請求項１０】
前記挿入部は、前記挿入部の両端のリップと、ホーンの対応する部分との間の相互作用によってホーンに取着されている請求項９のホーン。
【請求項１１】
請求項７ないし１０のいずれか１のホーンと、
前記挿入部と連通する圧力源と、
乳を収集するための容器とを具備する搾乳器。
【請求項１２】
前記圧力源は、膜ポンプである請求項１１の搾乳器。
【請求項１３】
請求項７ないし１０のいずれか１のホーンを乳房に置くことと、
負の圧力源を与えることと、
圧搾された乳を収集することとを具備する乳を圧搾する方法。
【手続補正２】
【補正対象書類名】明細書
【補正対象項目名】０００９
【補正方法】変更
【補正の内容】
【０００９】
これは、周知技術とは異なる。周知技術では、マッサージ力は、素材の伸びに左右され、従って、与えられる吸引に直接比例する。さらに、周知の搾乳器の挿入部は、乳房に向かって、又は乳房から離れるように、局所的な力を加え、この力は、乳児の口の典型ではない、乳房からほぼ垂直に作用する力である。本発明の挿入部の形状変化は、かなり典型的な授乳時の乳児の口の作用であるので、乳の圧搾をする際により成功しやすい。特に、挿入部全体が潰れて変形し、幅広のＯ形状から平たい形状へと移るように、乳児の口をまねている。
【手続補正３】
【補正対象書類名】明細書
【補正対象項目名】００３７
【補正方法】変更
【補正の内容】
【００３７】
非使用時には、保護器は、ケーシングに収容され保護されることができる。ケーシング（２２）は、保護器の乳頭部分を収容するように、第２のドーム形状部分（２１）を備えた第１のカップ形状部分（２０）を有する。
以下に、本出願の出願当初の特許請求の範囲に記載された発明を付記する。
［１］人間の乳房を受けるようにサイズ設定された第１の円形部分と、第２の円筒形部分とを具備し、前記第２の円筒形部分は、周囲溝を有する可撓性の乳房取り付け装置。
［２］搾乳器の挿入部である［１］の取り付け装置。
［３］さらに両端部にリップを具備する［２］の挿入部。
［４］乳頭保護器である［１］の取り付け装置。
［５］前記第２の円筒形部分は、ドーム形状部分で終わっている［４］の取り付け装置。
［６］前記ドーム形状部分は、切り抜き領域を有する［５］の取り付け装置。
［７］円形部分と、円筒形部分とを具備し、人間の乳房の形状に対応している［２］又は［３］の挿入部を有する硬質ホーン。
［８］前記挿入部は、前記ホーンと前記挿入部との間のシールを妨げるように配置された突出部を有する［７］のホーン。
［９］前記挿入部は、硬質ホーンに取着されている［７］又は［８］のホーン。
［１０］前記挿入部は、前記挿入部の両端のリップと、ホーンの対応する部分との間の相互作用によってホーンに取着されている［９］のホーン。
［１１］［７］ないし［１０］のいずれか１のホーンと、前記挿入部と連通する圧力源と、乳を収集するための容器とを具備する搾乳器。
［１２］前記圧力源は、膜ポンプである［１１］の搾乳器。
［１３］［７］ないし［１０］のいずれか１のホーンを乳房に置くことと、負の圧力源を与えることと、圧搾された乳を収集することとを具備する乳を圧搾する方法。
【手続補正書】
【提出日】平成25年7月9日(2013.7.9)
【手続補正１】
【補正対象書類名】明細書
【補正対象項目名】０００６
【補正方法】変更
【補正の内容】
【０００６】
本発明の目的は、注射デバイス用の駆動機構、及びこれらの矛盾する要求事項を達成する駆動機構を有する注射デバイスを提供することである。
【手続補正２】
【補正対象書類名】明細書
【補正対象項目名】００１９
【補正方法】変更
【補正の内容】
【００１９】
類似の参照番号は、注射デバイスの同一部分を参照するために使用される。初めに図１及び２を参照して、本発明の第一の実施態様に一致した、一般に１０で示す駆動機構、薬剤カートリッジ１２を含む注射デバイスの部分を見ることができる。
【手続補正３】
【補正対象書類名】明細書
【補正対象項目名】００２５
【補正方法】変更
【補正の内容】
【００２５】
薬剤カートリッジ１２に最も近接した第二の駆動部材２４の端部は、第一の孔部分４０より小さい直径の第二の孔部分４４を形成する壁４２により、部分的に遮断される。第二の雌ねじ（また、図示されていないが）は、ピストン部材２６のピストンロッド４８上に形成される対応するねじ山４６と係合するように第二の孔部分４４の表面上に形成される。ピストンロッド４８上のスクリュねじ山４６、及び第二の駆動部材の第二の孔部分４４における第二の雌ねじは、ピストン部材に対する第二の駆動部材の回転が、ピストン部材２６を、第二の駆動部材２４に対して薬剤カートリッジの第二の端部１５に向かって軸方向に前進させるように配置される。
【手続補正４】
【補正対象書類名】明細書
【補正対象項目名】００３３
【補正方法】変更
【補正の内容】
【００３３】
第一の方向におけるモータ６６のタイル出力シャフトの回転は、第一のギアホィール、第二のギアホィール、ウォーム歯車及びスプラインを経由して伝達され、第二の駆動部材２４を、第一の駆動部材２２に対して回転させることになることは理解できるであろう。第二の駆動部材２４の回転は、第二の駆動部材２４を、第一の駆動部材２２の差し込み部分３６上のねじ山３８に沿って薬剤カートリッジの第二の端部１５に向かって軸方向に、又は直線的に前進させる結果になり、そして、同時に、ピストン部材２６を、第二の駆動部材２４及び第一の駆動部材２２の両者に対して薬剤カートリッジの第二の端部１５に向かって、軸方向に前進させる。
【手続補正５】
【補正対象書類名】明細書
【補正対象項目名】００３５
【補正方法】変更
【補正の内容】
【００３５】
第一と反対の第二方向におけるモータ６６の出力シャフトの回転が、反対位置において第一の駆動部材２２に対して第二の駆動部材２４を回転させることになる。これは、ピストン部材２６及び第二の駆動部材２４を薬剤カートリッジの第二の端部１５から離れて軸方向に動かし、その結果、駆動機構を後退させる。電気モータの操作、それによる、第二の駆動部材２４及びピストン部材２６の運動は、調整デバイス２８により調整される。デバイス２８は、マイクロプロセッサ（図示されていないが）、及びそれを通して情報が使用者に提示できるディスプレイを有するユーザーインターフェース、及び使用者が指示事項、例えば、薬剤（また、図示されていないが）の必要用量の設定を入力することができる入力手段を含んでもよい。
【手続補正６】
【補正対象書類名】明細書
【補正対象項目名】００３９
【補正方法】変更
【補正の内容】
【００３９】
上記の順序は、薬剤カートリッジが空になるまで、又は事前決定された最小用量を送達するに不十分な薬剤を有することにまで、使用者に対して薬剤を投与するために何回も繰り返すことができる。この段階において、駆動機構は、図２で示す通り、最大投与位置において、完全に伸びる。駆動機構１０を再設定し、そしてタイル薬剤カートリッジの代替を可能にするために、図１に示す通り、駆動機構が、完全に、後退するまで、ピストン部材２６及び第二の駆動部材２４を、薬剤カートリッジ１２の第二の端部１５から離れた方向において軸方向に動かすように、電気モータ６６は逆方向に操作する。これは、使用者から、又はそれが、薬剤カートリッジ１２が空であり、又は事前設定された最小用量を送達するに不十分な薬剤を有することを検出するとき、自動的に、調整デバイスによる入力の応答として実施できる。空の薬剤カートリッジ１２は、その後、除去し、そして新しいカートリッジに代替することができる。
【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
少なくとも１つの容量センサ電極を有する、体の少なくとも１つの電気生理学的信号を測定する装置であって、
動きによって生じる信号を低減する又はできる限り小さくするために前記少なくとも１つの容量センサ電極と前記体との間の平均電圧を制御する機構を有することを特徴とする、当該装置。
【請求項２】
体の近くに又は体とガルバニック接触して配された少なくとも１つの参照電極を有し、前記少なくとも１つの参照電極が、電圧源、電流源又は参照電位部に接続された、請求項１記載の装置。
【請求項３】
差動増幅器の入力部に結合された少なくとも２つのセンサ電極を有する、請求項１記載の装置。
【請求項４】
本質的に同じ電気生理学的信号を測定し、体に対して互いに異なる距離に配された及び／又は異なる平均電圧を供給される少なくとも２つのセンサ電極を有し、前記平均電圧を規定された値に導くためにフィードバック信号が前記センサ電極の出力信号に基づいて生成される、請求項１記載の装置。
【請求項５】
バッファ増幅器の入力部に与えられる前記センサ電極の出力信号を前記バッファ増幅器の出力信号に変換し、前記バッファ増幅器の他の入力部に与えられる信号により規定されるレベルに前記センサ電極の平均電圧を保持する少なくとも１つの当該バッファ増幅器が設けられた、請求項１記載の装置。
【請求項６】
少なくとも３つのセンサ電極を有し、前記少なくとも３つのセンサ電極は、
三角形状に、
同心円状に、
全ての電極のセグメントが散在した形で分布している小さいセグメントの形式で、又は
環状若しくはマトリクス状の形式で配されたセグメントで
配された、請求項４記載の装置。
【請求項７】
前記センサ電極、参照電極又は前記センサ電極若しくは前記参照電極を支持する若しくは収容する支持体若しくはケースの少なくとも１つを振動させるオシレータ又はバイブレータと、前記平均電圧を低減する又はできる限り小さくするためにフィードバック信号を生成する前記オシレータ又はバイブレータに結合されたフィードバックループ部とを有する、請求項１記載の装置。
【請求項８】
前記オシレータ又はバイブレータの周波数が、測定される前記電気生理学的信号の生体電気周波数帯域外にある、請求項７記載の装置。
【請求項９】
前記少なくとも１つのセンサ電極と体との間の平均電圧の指標を前記センサ電極の信号から抽出する抽出器を有し、当該装置が、フィードバック信号を生成するために前記指標を用いる、請求項１記載の装置。
【請求項１０】
前記少なくとも１つのセンサ電極の少なくとも１つの出力信号の電力の推定値又はエントロピの推定値を決定し、前記平均電圧を規定された値にするために前記少なくとも１つのセンサ電極の前記少なくとも１つの出力信号に基づいてフィードバック信号を生成する推定器を有する、請求項１記載の装置。
【請求項１１】
伝達関数Ｖｏ／Ｖｂｉｏを等化する等化器を有し、Ｖｏは、関心のある電気生理学的信号Ｖｂｉｏを受信するバッファ増幅器の出力信号であり、当該装置は、等化が達成されるように前記伝達関数Ｖｏ／Ｖｂｉｏを適応制御する、請求項１記載の装置。
【請求項１２】
容量性の生体信号の検知の前記バッファ入力容量を等化する目的のために少なくとも１つの参照電極を用いて参照信号（Ｖｒｅｆ）を体に与えることと、
前記参照信号を前記関心のある信号において予想される最大周波数よりも大きい値に変調することと、
測定され、バッファリングされた前記参照信号から与えられた前記参照信号を差し引くことと、
結果として生じた前記信号を復調し、ローパスフィルタにかけ、増幅を制御するためにこの信号を用いることと、
前記バッファ増幅器の利得を１倍にするフィードバック機構として実現される前記機構内に積分器を設けることと
の少なくとも１つのための手段を有する、請求項１１記載の装置。
【請求項１３】
前記動きによって生じる信号をできる限り小さくするために前記体と電極との間の前記平均電圧を制御し、前記センサ電極の容量の測定された変化を用いて前記入力信号を再構成し、再構成された前記入力信号を処理することによりフィードバック信号を生成する制御器を有する、請求項１記載の装置。
【請求項１４】
体の少なくとも１つの電気生理学的信号を測定する方法であって、
動きによって生じる信号を低減する又はできる限り小さくするために容量センサ電極と体との間の平均電圧を制御することを特徴とする、当該方法。
【請求項１５】
動きによって生じる信号を低減する又はできる限り小さくするために容量センサ電極と体との間の平均電圧を制御するステップをコンピュータに実行させるプログラムコード手段により特徴づけられる、コンピュータプログラム。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
１つのカプセルコアおよび１つのカプセル壁を含むマイクロカプセルであって、但し、この場合このカプセル壁は、重合導入された形で、それぞれ単量体の全質量に対して、
アクリル酸および／またはメタクリル酸の１つ以上のＣ1〜Ｃ24アルキルエステル５０〜９０質量％（単量体Ｉ）、
１つ以上のポリビニル単量体１０〜５０％（単量体ＩＩ）、ならびに
単量体Ｉとは異なる、１つ以上のモノ不飽和の非イオン性単量体０〜３０質量％（単量体ＩＩＩ）から形成されているものとする、前記マイクロカプセル。
【請求項２】
マイクロカプセルが１．５〜１５μｍの平均粒径を有し、粒子の９０％が２倍の平均粒径より小さい粒径を有する、請求項１記載のマイクロカプセル。
【請求項３】
ポリビニル単量体がトリメチロールプロパントリアクリレートおよびトリメチロールプロパントリメタクリレート、ペンタエリトリットトリアリルエーテル、ペンタエリトリットテトラアリルエーテル、ペンタエリトリットトリアクリレートおよびペンタエリトリットテトラアクリレートならびにこれらの工業用混合物からなる群から選択される、請求項１または２記載のマイクロカプセル。
【請求項４】
単量体、ラジカル開始剤、無機保護コロイドおよびカプセル化すべき親油性物質を含む水中油型エマルジョンを製造し、重合を開始することにより、得られる、請求項１から３までのいずれか１項に記載のマイクロカプセル。
【請求項５】
単量体、ラジカル開始剤、無機保護コロイドおよびカプセル化すべき親油性物質を含む水中油型エマルジョンを製造し、重合を開始することにより、得られ、この場合無機保護コロイドの含量は、エマルジョンの水相に対して０．５〜１５質量％である、請求項１から４までのいずれか１項に記載のマイクロカプセル。
【請求項６】
カプセル形成に引続き後重合をラジカル開始剤としてのペルオキソ二硫酸の塩を用いて開始することにより、得られる、請求項１から５までのいずれか１項に記載のマイクロカプセル。
【請求項７】
カプセルコアが−２０℃〜１２０℃の温度範囲の固／液相転移を有する親油性物質である、請求項１から５までのいずれか１項に記載のマイクロカプセル。
【請求項８】
水性分散液の形の請求項１から７までのいずれか１項に記載のマイクロカプセル。
【請求項９】
請求項１から８までのいずれか１項に記載のマイクロカプセルの製造法であって、単量体、ラジカル開始剤、保護コロイドおよびカプセル化すべき親油性物質から水中油型エマルジョンを製造し、単量体の重合を加熱によって開始し、場合によってはさらなる温度上昇によって制御することを特徴とする、請求項１から８までのいずれか１項に記載のマイクロカプセルの製造法。
【請求項１０】
無機保護コロイドを選択する、請求項９記載のマイクロカプセルの製造法。
【請求項１１】
カプセル形成に引続き後重合をラジカル開始剤としてのペルオキソ二硫酸の塩を用いて開始する、請求項９記載のマイクロカプセルの製造法。
【請求項１２】
結合建築材料中への請求項１から８までのいずれか１項に記載のマイクロカプセルの使用。
【請求項１３】
石膏建築ボードを改質するための請求項１から８までのいずれか１項に記載のマイクロカプセルの使用。
【請求項１４】
伝熱流体中への請求項１から８までのいずれか１項に記載のマイクロカプセルの使用。
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
内層及び外層を含んでなる容器壁（３）によって少なくとも部分的に画成される空洞（２）を含んでなり、両層がワンピース部材として配置される薬剤容器（１）であって、内層は軟質材料からなる軟質可撓性層であり、外層は剛性材料からなる剛性層であり、両層が二成分射出成形によって配置される、上記薬剤容器（１）。
【請求項２】
空洞（２）が容器壁（３）及び剛性材料からなる剛性支持体（４）の間で画成され、ここで、両層及び支持体（４）は二成分射出成形によってワンピース部材として配置されることを特徴とする、請求項１に記載の薬剤容器（１）。
【請求項３】
中空の針（１０）又はポンプ（６）を空洞（２）に連結するためのインターフェースが配置されることを特徴とする、請求項１又は２に記載の薬剤容器（１）。
【請求項４】
開口部が容器壁（３）に配置され、ここで、開口部はセプタムで密閉されることを特徴とする、請求項１〜３のいずれか１項に記載の薬剤容器（１）。
【請求項５】
セプタムが開口部にクリンプされることを特徴とする、請求項４に記載の薬剤容器（１）。
【請求項６】
剛性材料がポリプロピレン又はポリエチレンであることを特徴とする、請求項１〜５のいずれか１項に記載の薬剤容器（１）。
【請求項７】
容器壁の内部及び／又は外部がシリコンでコーティングされることを特徴とする、請求項１〜６のいずれか１項に記載の薬剤容器（１）。
【請求項８】
請求項２〜７のいずれか１項に記載の薬剤容器（１）を含んでなり、更に、容器壁（３）を剛性支持体（４）に対して押圧し、それによって液体薬剤を薬剤容器から移動させるための圧縮手段を含んでなる、液体薬剤を患者（Ｐ）に送達するための注射装置（５）。
【請求項９】
圧縮手段がローラー、ワイパー、シュー、又はアクチュエータであり、それが薬剤容器（１）の体積を徐々に減少させるように前進し得ることを特徴とする、請求項８に記載の注射装置（５）。
【請求項１０】
請求項１〜７のいずれか１項に記載の薬剤容器（１）を含んでなり、更に、液体薬剤を薬剤容器（１）から薬剤出口（７）にポンプ輸送するためのポンプ（６）を含んでなる、液体薬剤を患者（Ｐ）に送達するための注射装置（５）。
【請求項１１】
患者（Ｐ）の皮膚に突き刺して薬剤を投与するための中空の針（１０）を備えることを特徴とする、請求項８〜１０のいずれか１項に記載の注射装置（５）。
【請求項１２】
薬剤を投与するためにジェットノズルを備えることを特徴とする、請求項８〜１０のいずれか１項に記載の注射装置（５）。
【手続補正書】
【提出日】平成25年6月7日(2013.6.7)
【手続補正１】
【補正対象書類名】明細書
【補正対象項目名】００５９
【補正方法】変更
【補正の内容】
【００５９】
図８及び９を参照して、スラストベアリングアセンブリの第二の実施態様は、より詳細に示される。リードスクリュー６は、回転駆動手段１２とネジ山付き係合にある。更に、スラストベアリング２０の内壁は、リードスクリュー６がガイドウエイ３０に固定されるようにガイドウエイ３０として構成される。図８及び９から判明する通り、第二の実施態様に記載のスラストベアリングデバイスは、図６及び７で示す第一の実施態様と比較して、スパイラルの形状を有するリードスクリュー６を駆動するように適合される。従って、スラストベアリング手段２０から提供されるガイドウエイ３０は、ガイドウエイ３０が捻じれた経路に沿ってリードスクリュー６に固定されるように形成される。本発明の一の実施態様によると、スラストベアリング２０は、スパイラルリードスクリュー６を案内する捻じれたガイドウエイ経路３０を形成するスパイラルコーティングを含むことができる。第二の実施態様によると、回転駆動手段１２が回転するとき、リードスクリュー６は、ガイドウエイ３０に沿って案内される軸方向に作られる。リードスクリュー６及び捻じれたガイドウエイ３０のスパイラル形状のため、リードスクリュー６が軸方向に作られるとき、リードスクリュー６は、その縦軸に沿って回転運動を実施する。従って、第二の実施態様によると、リードスクリュー６は、同物の軸位置に依存して回転しながら調節できる。
【手続補正２】
【補正対象書類名】特許請求の範囲
【補正対象項目名】全文
【補正方法】変更
【補正の内容】
【特許請求の範囲】
【請求項１】
ピストン部材を案内し、駆動するように構成されるスラストベアリングアセンブリ（１２、２０）で、ピストン部材が第一の軸方向に駆動されるとき、送達デバイスの媒体を投与するように構成されるリードスクリュー（６）を有するピストン部材を含んでなる、該スラストベアリングアセンブリ（１２、２０）であって、
・リードスクリュー（６）を案内するように構成される通路（２８）を含んでなるスラストベアリング手段（２０）；及び
・リードスクリュー（６）を駆動し、そしてスラストベアリング手段（２０）の中に嵌
入、又はその上に外嵌し、一方スラストベアリング（２０）に対して回転可能であるように構成される回転駆動手段（１２）；
を含んでなり、ここで、スラストベアリング手段（２０）は、リードスクリュー（６）を第一の軸方向に駆動しているとき、回転駆動手段（１２）の軸方向の運動を制限するスラスト面（２４）を含んでなる、上記スラストベアリングアセンブリ（１２、２０）。
【請求項２】
回転駆動手段（１２）は、回転駆動手段（１２）の回転運動をリードスクリュー（６）の回転運動に結合させるように適合される、請求項１に記載のスラストベアリングアセンブリ（１２、２０）。
【請求項３】
リードスクリューを駆動するための回転駆動手段は、リードスクリューのネジ山と係合するように適合されるリードスクリューナットとして形成される、請求項２に記載のスラストベアリングアセンブリ（１２、２０）。
【請求項４】
スラストベアリング手段は、一体化されるとき、送達デバイスの軸方向に沿って伸びるベアリング表面を含んでなり、そして回転駆動手段は、スラストベアリング手段のベアリング表面に対して、対応するベアリング表面を含んでなる、請求項１〜３のいずれか１項に記載のスラストベアリングアセンブリ（１２、２０）。
【請求項５】
スラストベアリング手段のベアリング表面が、回転駆動手段の軸方向の運動を制限するためのスラスト面を含んでなる軸方向カラーで終結する、請求項１〜４のいずれか１項に記載のスラストベアリングアセンブリ（１２、２０）。
【請求項６】
スラストベアリングアセンブリ（１２、２０）は、回転駆動手段とスラストベアリング手段のスラスト面の間に位置し、回転駆動手段の回転ベアリングを提供する環状ベアリングレースを更に含んでなる、請求項１〜５のいずれか１項に記載のスラストベアリングアセンブリ（１２、２０）。
【請求項７】
ピストン部材がピストンロッドである、請求項１〜６のいずれか１項に記載のスラストベアリングアセンブリ（１２、２０）。
【請求項８】
ピストン部材が、ピストンロッド、及びピストンロッドと一緒に一体構造として形成されるピストンを含んでなる、請求項７に記載のスラストベアリングアセンブリ（１２、２０）。
【請求項９】
ピストン部材が、ピストンロッドを形成する縦部分、及びピストンを形成する脚部分を含むＬ形状手段として形成される、請求項８に記載のスラストベアリングアセンブリ（１２、２０）。
【請求項１０】
通路（２８）の内面及びリードスクリューの外面は、通路（２８）の内面がリードスクリュー（６）の回転を阻止するように設計される、請求項１〜９のいずれか１項に記載のスラストベアリングアセンブリ（１２、２０）。
【請求項１１】
通路（２９）の内面、及びリードスクリュー（６）の外面の両者が、リードスクリュー（６）の回転を阻止するために、互いに対して止まる少なくとも一つの平坦表面を含む、請求項１０に記載のスラストベアリングアセンブリ（１２、２０）。
【請求項１２】
通路（２８）の内面及びリードスクリュー（６）の外面は、リードスクリュー（６）が回転駆動手段（１２）により駆動されるとき、リードスクリュー（６）の回転がリードスクリュー（６）の軸方向の運動を調整することを可能にするように設計される、請求項２
〜９のいずれか１項に記載のスラストベアリングアセンブリ（１２、２０）。
【請求項１３】
通路（２８）の内面及びリードスクリュー（６）の外面は、リードスクリュー（６）が完全に後退した位置から、回転駆動手段（１２）により完全に伸びた位置に動くとき、リードスクリュー（６）の回転を、リードスクリュー（６）の最大二フル回転を可能にするように設計される、請求項１２に記載のスラストベアリングアセンブリ（１２、２０）。
【請求項１４】
リードスクリュー（６）を、それの軸方向の位置に依存して、回転しながら調整するための、スラストベアリング手段（２０）から提供されるガイドウエイ（３０）が、ガイドウエイ（３０）が捻じれた経路に沿ってリードスクリュー（６）に固定されるように形成される、請求項１２又は１３に記載のスラストベアリングアセンブリ（１２、２０）。
【請求項１５】
請求項１〜１４のいずれか１項に記載のスラストベアリング（１２、２０）、及びリードスクリュー（６）が、第一の軸方向に駆動されるとき、送達デバイスの媒体を投与するための、スラストベアリングアセンブリ（１２、２０）により案内され、駆動されるリードスクリュー（６）を含んでなる、ドライブトレーン。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
硝子繊維１２〜１８重量％、ポリエステル樹脂１７〜２３重量％が含有され、残部は炭酸カルシウム（ＣａＣＯ３）が含有された組成を有する複合材料からなり、マンホールに安着されて上部が地上に露出されるベース部と；前記ベース部を補強し、重量と強度の増大のために内部に均一な分布で収容される金属材の補強部と；を含み、
前記ベース部には、紫外線を遮断して殺菌力を高めるために、ＵＶカット剤０．７〜１．３重量％がさらに含有され、
前記ベース部は円盤型に形成され、前記補強部は、前記ベース部の直径より長さが短い複数の針金の中間部分が仮象の円に外接されるように放射状に配置され、その端部が他の針金の端部と鋭角を成しながら同一平面構造及び上下積層構造に結合され、
前記ベース部の下部面はその中心部から周縁側に行くほど緩やかな傾斜面を成すようにして、周縁側の厚さが中心部の厚さより小さく形成されることを特徴とするマンホール用蓋。
【手続補正書】
【提出日】平成25年6月28日(2013.6.28)
【手続補正１】
【補正対象書類名】明細書
【補正対象項目名】００７８
【補正方法】変更
【補正の内容】
【００７８】
最後に、ウエハを単位に分割する、すなわち多くのダイ１０３、例えば形状が長方形、平行四辺形または台形のダイ、に切り分けることができる(図１５Ｓを見よ)。図１６に示されるように、液体射出器１００のダイ１０３は十分に小さく、例えば幅がほぼ５〜６ｍｍで長さが３０〜４０ｍｍであり、よって少なくとも３００のポンピングチャンバを有するダイを１５０ｍｍ径ウエハ上に少なくとも４０個形成できる。例えば、図１６に示されるように、１枚の２００ｍｍ径ウエハから８８個のダイ１０３を形成することができる。次いでフレキシブル回路２０１を液体射出器に取り付けることができる(図１５Ｔを見よ)。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
第１開放端部及び相対する第２開放端部を有する連続的な、継ぎ目のない管状の形状、
任意の方向に少なくとも２％、破断することなく変化し得る断面積、
１０００ｋＰａを超える圧縮力を採用することなく、最大６０％（６０％を含む）まで圧縮することができる壁部厚さ、
外側表面、
少なくともその一部が湾曲している内側表面、
中央長手方向軸、
及び該中央長手方向軸に沿って均一な内部断面積、
を有する、取り付け物品であって、前記取り付け物品は無機繊維を含む、取り付け物品。
【請求項２】
その外側表面を形成する一層と、その内側表面を形成する別の層とを含む、請求項１に記載の取り付け物品。
【請求項３】
各層が異なる、請求項２に記載の取り付け物品。
【請求項４】
請求項１〜３の何れか一項に記載の取り付け物品と、前記取り付け物品の前記内側表面と摩擦接触する外側表面を有する汚染防止要素と、を備え、
前記取り付け物品が伸長された状態にあり、前記取り付け物品の前記内側表面が張力下にある、物品。
【請求項５】
外側表面を有する汚染防止要素と、
請求項１〜３の何れか一項に記載の取り付け物品と、
前記取り付け物品の前記外側主表面を覆う収縮性高分子フィルムと、を備え、
前記収縮性高分子フィルムは、前記取り付け物品の前記外側表面を圧力下におくと共に、前記取り付け物品の前記外側表面上に圧縮力を提供することで、前記取り付け物品の前記内側表面が前記汚染防止要素の前記外側表面に摩擦接触するように、収縮する、物品。
【請求項６】
前記フィルムが管の形状である、請求項５に記載の物品。
【請求項７】
ケーシング内にある、請求項４〜６の何れか一項に記載の物品を含む、汚染防止装置。
【請求項８】
請求項１〜３のいずれか一項に記載の取り付け物品を用意する工程と、
熱収縮性高分子フィルムを前記取り付け物品の前記外側表面上に適用する工程と、
前記フィルムが前記取り付け物品の前記外側表面の周囲で収縮するように前記熱収縮性高分子フィルムを加熱する工程と、を含む、方法。
【請求項９】
内側表面、内側周辺部及び内側幾何学形状を有する、請求項１〜３のいずれか一項に記載の取り付け物品を用意する工程と、
外側表面、外側周辺部及び外側幾何学形状を有する汚染防止要素であって、前記取り付け物品の前記内側周辺部が、前記汚染防止要素の前記外側周辺部よりも小さく、第１幾何学形状及び第２幾何学形状がほぼ同じである、汚染防止要素と、
前記取り付け物品の前記内側表面が張力下にあり、前記汚染防止要素の前記外側表面が前記取り付け物品の前記内側表面と摩擦接触するように、円錐形の拡張する楔を使用して前記汚染防止要素の周囲の少なくとも一部に前記取り付け物品を配置する工程とを含む、方法。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
空隙を有するフェロエレクトレット２層または多層コンポジットを製造する方法であって、以下の工程：
ａ）第１ポリマーフィルム（１）の少なくとも１つの第１表面を構造化し、高さのある外形を形成し、
ｂ）工程ａ）で形成された第１ポリマーフィルムの構造化表面上に、少なくとも１つの第２ポリマーフィルム（５，１’）を適用し、
ｃ）ポリマーフィルム（１，１’，５）を接着してポリマーフィルムコンポジットを生じさせ、空隙（４，４’）を形成し、
ｄ）工程ｃ）で形成された空隙（４，４’）の内側表面を、反対電荷を用いて帯電させること
を特徴とする製造方法。
【請求項２】
工程ａ）における第１ポリマーフィルム（１）の少なくとも１つの表面の構造化がエンボス加工によって行われることを特徴とする請求項１による方法。
【請求項３】
工程ａ）における第１ポリマーフィルム（１）の少なくとも１つの表面の構造化が、任意に予熱され形状形成された鋳ぐるみを備える成形ツール内で、任意に加熱されたポリマーフィルムに、圧力を印加することで変形させることによって行われることを特徴とする請求項１による方法。
【請求項４】
工程ａ）における第１ポリマーフィルム（１）の少なくとも１つの表面の構造化が、所定形状のダイを用いて、ポリマーをスリット押出しすることによって行われることを特徴とする請求項１による方法。
【請求項５】
工程ｄ）における空隙の内側表面への帯電の前および／または後に、ポリマーフィルムコンポジットの外側表面への電極の配置を行うことを特徴とする請求項１による方法。
【請求項６】
工程ｄ）での帯電の前または後に、さらなる工程ｅ）において、工程ｃ）で形成されたポリマーフィルムコンポジットのエッジを封止すること包含することを特徴とする請求項１による方法。
【請求項７】
工程ｄ）での分極の前に、さらなる工程ｆ）において、ポリマーフィルムコンポジットの空隙内に気体を充填すること包含することを特徴とする請求項１による方法。
【請求項８】
少なくとも１つの第１ポリマーフィルム（１）および前記第１ポリマーフィルムと接着する第２ポリマーフィルム（１’，５）から成る層スタックを備えるフェロエレクトレット２層または多層コンポジットであり、少なくとも第１ポリマーフィルム（１）は、第２ポリマーフィルム（１’，５）に面する少なくともその表面側に、凹凸を有する構造を備え、第１ポリマーフィルム（１）は、第２ポリマーフィルム（１’，５）と、１以上の空隙（４）がポリマーフィルム（１）（１’，５）間に形成されるように接着し、さらに形成された空隙（４）の内側表面は反対電荷を有することを特徴とするフェロエレクトレット２層または多層コンポジット。
【請求項９】
ポリマーフィルムの層方向に平行および垂直な空隙の断面形状は、互いに独立して部分的または全体的に規則的または不規則な、円形、楕円形または長円形、多角形、ハニカム形、十字形、星形、部分円形部分多角形の形状から選択されることを特徴とする請求項８によるフェロエレクトレット２層または多層コンポジット。
【請求項１０】
請求項８による少なくとも１つのフェロエレクトレット２層または多層コンポジットおよび／または請求項１による方法によって製造される少なくとも１つのフェロエレクトレット２層または多層コンポジットを備える圧電素子。
【請求項１１】
第１ポリマーフィルムの少なくとも１つの表面を構造化する手段を包含することを特徴とする請求項１による方法を実施する装置。